【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
吸収性セルロース系シートであって、
前記シートの第１の表面を与える第１のプライ、および
前記シートの第２の表面を与える第２のプライであって、前記第１のプライに直接付着している第２のプライ、を含み、
前記シートは、少なくとも約２５５ミル／８シートのキャリパを有し、かつ前記シートは、少なくとも約６５０ｇ／ｍ２のＳＡＴ容量を有する、吸収性セルロース系シート。
【請求項２】
請求項１に記載の吸収性シートであって、前記シートは少なくとも約７００ｇ／ｍ２のＳＡＴ容量を有する、吸収性シート。
【請求項３】
請求項１に記載の吸収性シートであって、前記シートは少なくとも約２６０ミル／８シートのキャリパを有する、吸収性シート。
【請求項４】
請求項１に記載の吸収性シートであって、前記シートは少なくとも約２６５ミル／８シートのキャリパを有する、吸収性シート。
【請求項５】
請求項１に記載の吸収性シートであって、前記シートは約１．０未満の引張り強さ比を有する、吸収性シート。
【請求項６】
請求項５に記載の吸収性シートであって、前記シートは約０．８５〜約１．０の引張り強さ比を有する、吸収性シート。
【請求項７】
請求項１に記載の吸収性シートであって、前記シートは約２．２の伸張比を有する、吸収性シート。
【請求項８】
請求項１に記載の吸収性シートであって、前記シートは約３２ポンド／連未満の坪量を有する、吸収性シート。
【請求項９】
吸収性セルロース系シートであって、
前記シートの第１の表面を与える第１のプライ、および
前記シートの第２の表面を与える第２のプライ、を含み、
前記シートは約１．０未満の引張り強さ比を有し、かつ前記シートは少なくとも約２５５ミル／８シートのキャリパを有する、吸収性セルロース系シート。
【請求項１０】
請求項９に記載の吸収性シートであって、前記第１のプライは前記第２のプライに直接付着している、吸収性シート。
【請求項１１】
請求項９に記載の吸収性シートであって、前記シートは約０．８５〜約１．０の引張り強さ比を有する、吸収性シート。
【請求項１２】
請求項９に記載の吸収性シートであって、前記シートは約２．２の伸張比を有する、吸収性シート。
【請求項１３】
請求項９に記載の吸収性シートであって、前記シートは少なくとも約２６０ミル／８シートのキャリパを有する、吸収性シート。
【請求項１４】
請求項９に記載の吸収性シートであって、前記シートは少なくとも約２６５ミル／８シートのキャリパを有する、吸収性シート。
【請求項１５】
請求項９に記載の吸収性シートであって、前記シートは約３２ポンド／連未満の坪量を有する、吸収性シート。
【請求項１６】
吸収性セルロース系シートであって、
前記シートの第１の表面を与える第１のプライ、および
前記シートの第２の表面を与える第２のプライ、を含み、
前記シートは約１．０未満の引張り強さ比を有し、かつ前記シートは少なくとも約６７５ｇ／ｍ２のＳＡＴ容量を有する、吸収性セルロース系シート。
【請求項１７】
請求項１６に記載の吸収性シートであって、前記第２のプライは前記第１のプライに直接付着している、吸収性シート。
【請求項１８】
紙製品を製造する方法であって、
製紙機において構造化ファブリック上で水性セルロース系ウェブを形成する工程と、
前記セルロース系ウェブを前記構造化ファブリック上で非圧縮的に脱水する工程と、
前記セルロース系ウェブを乾燥させて、前記紙製品を形成する工程と、を含み、
前記セルロース系ウェブがその上で形成される前記構造化ファブリックの部分は、少なくとも約２６の平面容積指数を有する、方法。
【請求項１９】
請求項１８に記載の方法であって、前記平面容積指数は約２６〜約３０．５である、方法。
【請求項２０】
請求項１８に記載の方法であって、前記構造化ファブリックの前記部分の接触領域は、全体的に前記構造化ファブリックの縦ヤーン上のナックルによって形成される、方法。
【請求項２１】
請求項１８に記載の方法であって、完成紙料を使用して前記セルロース系ウェブを形成する工程をさらに含み、前記完成紙料は少なくとも約１５．５ｍｇ／１００ｍｍの粗度を有するセルロース系長繊維を含む、方法。
【請求項２２】
紙製品を製造する方法であって、
製紙機において水性セルロース系ウェブを構造化ファブリック上に形成する工程と、
前記セルロース系ウェブを前記構造化ファブリック上で非圧縮的に脱水する工程と、
前記セルロース系ウェブを乾燥させて、前記紙製品を形成する工程と
を含み、
前記セルロース系ウェブがその上で形成される前記構造化ファブリックの部分は、（ｉ）前記セルロース系ウェブが前記製紙機で前記構造化ファブリック上で形成される初期期間の間および（ｉｉ）前記構造化ファブリックが前記製紙機の約９５０，０００サイクルの運転の間走行した後に、少なくとも約２６の平面容積指数を有する、方法。
【請求項２３】
請求項２２に記載の方法であって、前記構造化ファブリックの前記部分の接触領域は、全体的に前記構造化ファブリックの縦ヤーン上のナックルによって形成される、方法。
【請求項２４】
請求項２２に記載の方法であって、前記平面容積指数は、（ｉ）前記セルロース系ウェブが前記構造化ファブリック上で形成される初期期間の間および（ｉｉ）前記構造化ファブリックが前記製紙機の約９５０，０００サイクルの運転の間走行した後に、約２６〜約３０．５である、方法。
【請求項２５】
請求項２２に記載の方法であって、前記セルロース系ウェブを形成するために使用される完成紙料を使用する工程をさらに含み、前記完成紙料は少なくとも約１５．５ｍｇ／１００ｍｍの粗度を有するセルロース系長繊維を含む、方法。
【請求項２６】
通気乾燥プロセスを使用して紙製品を製造する製紙機であって、
水性完成紙料を供給するヘッドボックス、
接触領域をもつ表面を有する構造化ファブリックであって、（ｉ）前記ヘッドボックスからの前記完成紙料を前記表面に受けて、それにより、前記完成紙料からセルロース系ウェブを形成し、（ｉｉ）前記セルロース系ウェブを非圧縮的に脱水するように構成される構造化ファブリック、および
前記構造化ファブリック上で前記セルロース系ウェブを乾燥させる少なくとも１つの通気乾燥機、を備え、
前記セルロース系ウェブがその上で形成される前記構造化ファブリックの部分は、少なくとも約２６の平面容積指数を有する、製紙機。
【請求項２７】
請求項２６に記載の製紙機であって、前記平面容積指数は約２６〜約３０．５である、製紙機。
【請求項２８】
請求項２６に記載の製紙機であって、前記構造化ファブリックの前記接触領域は、全体的に前記構造化ファブリックの縦ヤーン上のナックルによって形成される、製紙機。
【請求項２９】
吸収性セルロース系シートであって、
製紙機において構造化ファブリック上で水性セルロース系ウェブを形成する工程と、
前記セルロース系ウェブを前記構造化ファブリック上で非圧縮的に脱水する工程と、
前記セルロース系ウェブを乾燥させて、前記吸収性セルロース系シートを形成する工程と、を含み、
前記セルロース系ウェブがその上で形成される前記構造化ファブリックの部分は、少なくとも２６の平面容積指数を有する方法によって製造される、吸収性セルロース系シート。
【請求項３０】
請求項２９に記載の吸収性シートであって、前記平面容積指数は約２６〜約３０．５である、吸収性シート。
【請求項３１】
請求項２９に記載の吸収性シートであって、前記シートは、少なくとも約２６０ミル／８シートのキャリパおよび少なくとも約６５０ｇ／ｍ２のＳＡＴ容量を有する、吸収性シート。
【請求項３２】
請求項２９に記載の吸収性シートであって、前記シートは約３２ポンド／連未満の坪量を有する、吸収性シート。
【請求項３３】
紙製品を製造する方法であって、
製紙機において構造化ファブリック上で水性セルロース系ウェブを形成する工程と、
前記セルロース系ウェブを前記構造化ファブリック上で非圧縮的に脱水する工程と、
前記セルロース系ウェブを乾燥させて、前記紙製品を形成する工程と、を含み、
前記セルロース系ウェブがその上で形成される前記構造化ファブリックの前記部分は、少なくとも約２７の調整平面容積指数を有する、方法。
【請求項３４】
請求項３３に記載の方法であって、前記調整平面容積指数は約２７〜約３１．５である、方法。
【請求項３５】
請求項３３に記載の方法であって、前記構造化ファブリックの前記部分の接触領域は、全体的に前記構造化ファブリックの縦ヤーン上のナックルによって形成される、方法。
【請求項３６】
請求項３３に記載の方法であって、完成紙料を使用して前記セルロース系ウェブを形成する工程をさらに含み、前記完成紙料は、少なくとも約１５．５ｍｇ／１００ｍｍの粗度を有するセルロース系長繊維を含む、方法。
【請求項３７】
紙製品を製造する方法であって、
製紙機において水性セルロース系ウェブを構造化ファブリック上に形成する工程と、
前記セルロース系ウェブを前記構造化ファブリック上で非圧縮的に脱水する工程と、
前記セルロース系ウェブを乾燥させて、前記紙製品を形成する工程と
を含み、
前記セルロース系ウェブがその上で形成される前記構造化ファブリックの部分は、（ｉ）前記セルロース系ウェブが前記製紙機で前記構造化ファブリック上で形成される初期期間の間および（ｉｉ）前記構造化ファブリックが前記製紙機の約９５０，０００サイクルの運転の間走行した後に、少なくとも約２７の調整平面容積指数を有する、方法。
【請求項３８】
請求項３７に記載の方法であって、前記構造化ファブリックの前記部分の接触領域は、全体的に前記構造化ファブリックの縦ヤーン上のナックルによって形成される、方法。
【請求項３９】
請求項３７に記載の方法であって、前記平面容積指数は、（ｉ）前記セルロース系ウェブが前記構造化ファブリック上で形成される初期期間の間および（ｉｉ）前記構造化ファブリックが前記製紙機の約９５０，０００サイクルの運転の間走行した後に、約２６〜約３０．５である、方法。
【請求項４０】
請求項３７に記載の方法であって、少なくとも約１５．５ｍｇ／１００ｍｍの粗度を有するセルロース系長繊維を含む、前記セルロース系ウェブを形成するために使用される完成紙料を使用する工程をさらに含む、方法。
【請求項４１】
通気乾燥プロセスを使用して紙製品を製造する製紙機であって、
水性完成紙料を供給するヘッドボックス、
接触領域をもつ表面を有する構造化ファブリックであって、（ｉ）前記ヘッドボックスからの前記完成紙料を前記表面に受けて、それにより、前記完成紙料からセルロース系ウェブを形成し、（ｉｉ）前記セルロース系ウェブを非圧縮的に脱水するように構成される構造化ファブリック、および
前記構造化ファブリック上で前記セルロース系ウェブを乾燥させる少なくとも１つの通気乾燥機
を備え、
前記セルロース系ウェブがその上で形成される前記構造化ファブリックの部分は、少なくとも約２７の調整平面容積指数を有する、製紙機。
【請求項４２】
請求項４１に記載の製紙機であって、前記調整平面容積指数は約２７〜約３１．５である、製紙機。
【請求項４３】
請求項４１に記載の製紙機であって、前記構造化ファブリックの前記接触領域は、全体的に前記構造化ファブリックの縦ヤーン上のナックルによって形成される、製紙機。
【請求項４４】
吸収性セルロース系シートであって、
製紙機において構造化ファブリック上で水性セルロース系ウェブを形成する工程と、
前記セルロース系ウェブを前記構造化ファブリック上で非圧縮的に脱水する工程と、
前記セルロース系ウェブを乾燥させて、前記吸収性セルロース系シートを形成する工程と
を含み、
前記セルロース系ウェブがその上で形成される前記構造化ファブリックの部分は、少なくとも約２７の調整平面容積指数を有する方法によって製造される、吸収性セルロース系シート。
【請求項４５】
請求項４４に記載の吸収性シートであって、前記平面容積指数は約２７〜約３１．５である、吸収性シート。
【請求項４６】
請求項４４に記載の吸収性シートであって、前記シートは、少なくとも約２６０ミル／８シートのキャリパおよび少なくとも約６５０ｇ／ｍ２のＳＡＴ容量を有する、吸収性シート。
【請求項４７】
請求項４４に記載の吸収性シートであって、前記シートは約３２ポンド／連未満の坪量を有する、吸収性シート。
【請求項４８】
ファブリックの特徴を決定する方法であって、
前記ファブリックの表面の部分の表示物を形成する工程であって、前記表示物は、前記ファブリックの前記表面におけるナックルおよびポケットの位置およびサイズを示し、かつ前記表示物は、前記ファブリック表面のプリントおよび前記ファブリックの前記表面の写真の一方である工程と、
前記表示物に基づいて前記ファブリックの前記表面の前記部分の画像を作成する工程と、
プロセッサを有するコンピュータと関連するスクリーン上に前記画像の少なくとも一部を表示する工程と、
前記表示物の表示において前記ナックルのサイズおよび位置を決定する工程と、
前記表示物の表示において前記ポケットのサイズおよび位置を決定する工程と、
前記表示された画像において前記ファブリックの前記表面の前記部分について単位セルを描く工程であって、前記単位セルは、（ｉ）前記ナックルの中心を通過し、（ｉｉ）前記ポケットが前記ナックル間に形成されるところに対応する前記画像の領域を囲む形状を形成する案内線によって画定される工程と、
前記案内線によって形成される前記単位セルの特性に基づいて前記ファブリックの平面容積指数を計算する工程とを含み、
輪郭線図および案内線は、非一時的コンピュータ可読媒体に記憶された画像解析プログラムを使用して描かれる、方法。
【請求項４９】
ファブリックの特徴を決定する方法であって、
前記ファブリックの表面の部分の表示物を形成する工程であって、前記表示物は、前記ファブリックの前記表面におけるナックルおよびポケットの位置およびサイズを示し、かつ前記表示物は、前記ファブリック表面のプリントおよび前記ファブリックの前記表面の写真の一方である工程と、
前記表示物に基づいて前記ファブリックの前記表面の前記部分の画像を作成する工程と、
プロセッサを有するコンピュータと関連するスクリーン上に前記画像の少なくとも一部を表示する工程と、
前記表示物の表示において前記ナックルのサイズおよび位置を決定する工程と、
前記表示物の表示において前記ポケットのサイズおよび位置を決定する工程と、
前記表示された画像において前記ファブリックの前記表面の前記部分について単位セルを描く工程であって、前記単位セルは、（ｉ）前記ナックルの中心を通過し、（ｉｉ）前記ポケットが前記ナックル間に形成されるところに対応する画像の領域を囲む形状を形成する案内線によって画定される工程と、
前記案内線によって形成される前記単位セルの特性に基づいて前記ファブリックの調整平面容積指数を計算する工程とを含み、
輪郭線図および案内線は、非一時的コンピュータ可読媒体に記憶された画像解析プログラムを使用して描かれる、方法。
【請求項５０】
請求項４９に記載の方法であって、前記形状が非長方形の平行四辺形である、方法。